Podtech/llm-jp-corpus-v4-ja_patent huggingface dataset:
【手続補正書】
【提出日】令和3年6月2日(2021.6.2)
【手続補正１】
【補正対象書類名】特許請求の範囲
【補正対象項目名】全文
【補正方法】変更
【補正の内容】
【特許請求の範囲】
【請求項１】
ユーザ機器(UE)によって行われるワイヤレス通信のための方法であって、
物理ランダムアクセスチャネル(PRACH)手順を行うためのトリガを検出するステップと、
前記トリガに基づいて、PRACHパラメータの複数のセットから、前記PRACH手順において使用する前記PRACHパラメータの値のセットを選択するステップと、
前記PRACHパラメータの値の前記選択されたセットを使用して前記PRACH手順を行うステップと
を含む、方法。
【請求項２】
前記PRACHパラメータの値の前記セットが、初期受信電力値、電力ランピングステップ値、およびバックオフパラメータ値のうちの1つまたは複数を含む、請求項1に記載の方法。
【請求項３】
システム情報ブロックにおいて前記PRACHパラメータの値の前記セットを受信するステップをさらに含み、
前記方法はさらに、
データ無線ベアラ、サービス品質フローインジケータデータ、またはネットワークスライスのうちの少なくとも1つが前記PRACHパラメータの値の前記セットに関連付けられているという指示を受信するステップ、あるいは、
前記PRACHパラメータの値の前記セットが、データ無線ベアラ、サービス品質フローインジケータ、またはネットワークスライスのセットに関連付けられているという指示を受信するステップを含む、請求項1に記載の方法。
【請求項４】
データ無線ベアラ確立手順中に前記PRACHパラメータの値の前記セットを受信するステップをさらに含み、前記PRACHパラメータの値の前記セットが、サービス品質フローインジケータに含まれる、請求項1に記載の方法。
【請求項５】
基地局からPRACHパラメータの前記複数のセットを受信するステップであって、各セットが、サービス品質フローインジケータ、ネットワークスライス、プロトコルデータユニットセッション、およびデータ無線ベアラのうちの少なくとも1つに関連付けられている、受信するステップ
をさらに含む、請求項1に記載の方法。
【請求項６】
無線リソース制御専用シグナリングを介して前記PRACHパラメータの値の前記セットを受信するステップをさらに含み、
前記方法はさらに、
データ無線ベアラ、サービス品質フローインジケータデータ、またはネットワークスライスのうちの少なくとも1つが前記PRACHパラメータの値の前記セットに関連付けられているという指示を受信するステップ、あるいは、
前記PRACHパラメータの値の前記セットが、データ無線ベアラ、サービス品質フローインジケータ、またはネットワークスライスのセットに関連付けられているという指示を受信するステップを含む、請求項1に記載の方法。
【請求項７】
基地局(BS)によるワイヤレス通信のための方法であって、
物理ランダムアクセスチャネル(PRACH)パラメータの複数のセットを取得するステップであって、各セットが、PRACH手順のための1つまたは複数のトリガに対応する、取得するステップと、
前記PRACHパラメータの値の前記セットのうちの1つおよび前記セットのための対応するトリガの指示を送信するステップと
を含む、方法。
【請求項８】
前記PRACHパラメータの値の各セットが、初期受信電力値、電力ランピングステップ値、およびバックオフパラメータ値のうちの1つまたは複数を含む、請求項7に記載の方法。
【請求項９】
システム情報ブロックにおいて前記PRACHパラメータの値の前記セットのうちの少なくとも1つを送信するステップをさらに含み、
前記方法はさらに、
データ無線ベアラ、サービス品質フローインジケータデータ、またはネットワークスライスのうちの少なくとも1つが前記PRACHパラメータの値の前記セットに関連付けられているという指示を送信するステップ、あるいは、
前記PRACHパラメータの値の前記セットが、データ無線ベアラ、サービス品質フローインジケータ、またはネットワークスライスのセットに関連付けられているという指示を送信するステップを含む、請求項7に記載の方法。
【請求項１０】
データ無線ベアラ確立手順中に前記PRACHパラメータの値の前記セットのうちの少なくとも1つを送信するステップをさらに含み、前記PRACHパラメータの値の前記少なくとも1つのセットが、サービス品質フローインジケータに含まれる、請求項7に記載の方法。
【請求項１１】
前記PRACHパラメータの前記複数のセットをユーザ機器(UE)に送信するステップであって、各セットがサービス品質フローインジケータ(QFI)に関連付けられている、送信するステップと、
BSとの通信において使用するネットワークスライスの指示を前記UEに送信するステップであって、
ネットワークスライスが、1つまたは複数のPDUセッションを含み、
各PDUセッションが、1つまたは複数のQFIに関連付けられていてもよく、
各DRBが、1つまたは複数のQFIを含んでもよく、
各DRBが、1つのPDUセッションに対応する、
送信するステップとをさらに含み、
前記トリガが、前記UEと前記ネットワークスライスでPDUセッションをセットアップすることを含む、請求項7に記載の方法。
【請求項１２】
無線リソース制御専用シグナリングを介して前記PRACHパラメータの値の前記セットのうちの少なくとも1つを送信するステップをさらに含み、
前記方法はさらに、
データ無線ベアラ、サービス品質フローインジケータデータ、またはネットワークスライスのうちの少なくとも1つが前記PRACHパラメータの値の前記セットに関連付けられているという指示を送信するステップ、あるいは、
前記PRACHパラメータの値の前記セットが、データ無線ベアラ、サービス品質フローインジケータ、またはネットワークスライスのセットに関連付けられているという指示を送信するステップを含む、請求項7に記載の方法。
【請求項１３】
ワイヤレス通信のための装置であって、
物理ランダムアクセスチャネル(PRACH)手順を行うためのトリガを検出するための手段と、
前記トリガに基づいて、PRACHパラメータの複数のセットから、前記PRACH手順において使用する前記PRACHパラメータの値のセットを選択するための手段と、
前記PRACHパラメータの値の前記選択されたセットを使用して前記PRACH手順を行うための手段と
を備える、装置。
【請求項１４】
ワイヤレス通信のための装置であって、
物理ランダムアクセスチャネル(PRACH)パラメータの複数のセットを取得するための手段であって、各セットが、PRACH手順のための1つまたは複数のトリガに対応する、取得する手段と、
前記PRACHパラメータの値の前記セットのうちの1つおよび前記セットのための対応するトリガの指示を送信するための手段と
を備える、装置。
【請求項１５】
コンピュータ上で実行されると、請求項１〜１２のいずれか一項に記載の方法を実行するための命令を有するコンピュータプログラム。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
受信機によるワイヤレス通信のための方法であって、
少なくとも1つのショートバーストシンボルの複数のトーン内で送信されたシーケンスを受信するステップであって、
前記シーケンスが少なくとも1つの情報ビットを伝達する、ステップと、
共通の復調基準信号(DMRS)トーンロケーションの第1のセットにおいて同じ値を有するシーケンス仮説の複数のグループ、および異なる値で共通のDMRSトーンロケーションの第2のセットを有するグループ内の各シーケンス仮説を識別するステップと、
前記グループ内の前記DMRSに対するトーンロケーションに基づいて、グループレベルのチャネル、雑音、および干渉推定を実行するステップと、
前記1つまたは複数のグループ内の各グループに対する前記チャネル、雑音、および干渉推定を使用して、そのグループ内の対応するシーケンス仮説を評価するステップと、
不連続送信(DTX)または前記受信されたシーケンスおよび前記伝達された情報ビットを、前記評価に基づいて決定するステップと
を含む、方法。
【請求項２】
共通のトーンロケーションの前記第2のセットが、前記第1のセットより大きい、請求項1に記載の方法。
【請求項３】
共通のトーンロケーションの前記第1のセットが、1つまたは複数の共通のトーンロケーションを有する、請求項1に記載の方法。
【請求項４】
共通のトーンロケーションの前記第2のセットが、少なくとも1つの共通のトーンロケーションを有する、請求項1に記載の方法。
【請求項５】
各グループに対するチャネルおよび雑音干渉推定を実行するステップが、前記シーケンスに対する雑音干渉分散に等しい、そのグループの各仮説に対する雑音干渉分散を推定するステップを含む、請求項1に記載の方法。
【請求項６】
前記評価が、前記チャネルおよび雑音干渉推定に基づいて生成された最大性能メトリックを有するシーケンス仮説を選択するステップを含む、請求項1に記載の方法。
【請求項７】
シーケンスが、前記シーケンスに対する雑音干渉分散に等しい、対応する雑音干渉分散がしきい値より小さい場合にのみ選択される、請求項1に記載の方法。
【請求項８】
共通のトーンロケーションの前記第1のセットが、4つのトーンごとにDMRSトーンロケーションを含む、請求項1に記載の方法。
【請求項９】
共通のトーンロケーションの前記第2のセットが、2つのトーンごとにDMRSトーンロケーションを含む、請求項1に記載の方法。
【請求項１０】
各シーケンス仮説が、基本シーケンスまたは前記基本シーケンスのシフトされたバージョンに対応する、請求項1に記載の方法。
【請求項１１】
受信機によるワイヤレス通信のための装置であって、
少なくとも1つのショートバーストシンボルの複数のトーン内で送信されたシーケンスを受信するように構成された受信機であって、前記シーケンスが少なくとも1つの情報ビットを伝達する、受信機と、
少なくとも1つのプロセッサと
を備え、前記少なくとも1つのプロセッサが、
共通の復調基準信号(DMRS)トーンロケーションの第1のセットにおいて同じ値を有するシーケンス仮説の複数のグループ、および異なる値で共通のDMRSトーンロケーションの第2のセットを有するグループ内の各シーケンス仮説を識別することと、
前記グループ内の前記DMRSに対するトーンロケーションに基づいて、グループレベルのチャネル、雑音、および干渉推定を実行することと、
前記1つまたは複数のグループ内の各グループに対する前記チャネル、雑音、および干渉推定を使用して、前記グループ内の対応するシーケンス仮説を評価することと、
不連続送信(DTX)または前記受信されたシーケンスおよび前記伝達された情報ビットを、前記評価に基づいて決定することと
を行うように構成される、装置。
【請求項１２】
共通のトーンロケーションの前記第2のセットが、前記第1のセットより大きい、請求項11に記載の装置。
【請求項１３】
共通のトーンロケーションの前記第1のセットが、1つまたは複数の共通のトーンロケーションを有する、請求項11に記載の装置。
【請求項１４】
共通のトーンロケーションの前記第2のセットが、少なくとも1つの共通のトーンロケーションを有する、請求項11に記載の装置。
【請求項１５】
前記評価が、前記チャネルおよび雑音干渉推定に基づいて生成された最大性能メトリックを有するシーケンス仮説を選択することを含む、請求項11に記載の装置。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
支持基板上に配置された発光デバイス構造からの発光を観察するための装置であって、前記装置は、表面からアクセス可能な第１のコンタクト層、および前記発光デバイス構造上に含まれる第２のコンタクト層を有し、前記発光デバイス構造は、縦型発光デバイス構造、または横型発光デバイス構造のいずれかから選択され、前記装置は、
第１の面、および前記第１の面とは反対側の第２の面を有するフィールドプレートデバイスであって、前記第２の面は導電層を備え、前記導電層は、介在する界面領域を伴って、前記発光デバイス構造の前記第１のコンタクト層の少なくとも一部に近接している、フィールドプレートデバイスと、
電圧を生成するための前記フィールドプレートデバイスの前記導電層、及び前記フィールドプレートデバイスの単位領域当たりの容量に接続された電圧源であって、前記電圧源は時間変化する電圧波形を生成することができ、前記電圧源は、第１の端子および第２の端子を有し、前記第１の端子は第１の電位を有し、前記フィールドプレートデバイスの前記導電層に結合され、前記第２の端子は第２の電位にあり、前記電圧源は、容量結合電流を前記発光デバイス構造に注入して、前記発光デバイス構造の少なくとも一部が電磁放射を一定パターンにて放射するようにさせることができる、電圧源と、
前記発光デバイス構造に結合されて、前記発光デバイス構造に由来するパターンで、前記電磁放射の画像を形成する、検出器デバイスと、
光電流を誘発するために前記発光デバイス構造を照らす外部光源と、
を備える、装置。
【請求項２】
前記第２の端子は、前記支持基板の裏側に電気的に結合され、前記第２の電位は、接地電位にあるか、または前記接地電位に対して負電位もしくは正電位にあって、前記時間変化する電圧波形を生成する、請求項１に記載の装置。
【請求項３】
前記第１の端子は、前記フィールドプレートデバイスの前記導電層に電気的に接続され、接地電位にあるか、または前記接地電位に対して負電位もしくは正電位にあって、前記第１の電位を生成する、請求項１に記載の装置。
【請求項４】
前記界面領域はギャップ媒体である、請求項１に記載の装置。
【請求項５】
前記ギャップ媒体は、気体または真空を含む、請求項４に記載の装置。
【請求項６】
前記ギャップ媒体は液体を含む、請求項４に記載の装置。
【請求項７】
前記液体は、水、脱イオン水、アルコール、メタノール、およびエチレングリコールからなる群から選択される、請求項６に記載の装置。
【請求項８】
界面層は、誘電体層およびギャップ媒体を含む、請求項１に記載の装置。
【請求項９】
前記ギャップ媒体が気体または真空を含む、請求項８に記載の装置。
【請求項１０】
前記ギャップ媒体が液体を含む、請求項８に記載の装置。
【請求項１１】
前記液体は、水、脱イオン水、アルコール、メタノール、およびエチレングリコールからなる群から選択される、請求項１０に記載の装置。
【請求項１２】
前記誘電体層は、前記導電層と、二酸化ケイ素、窒化ケイ素、アルミナ（Ａｌ２Ｏ３）、ガラス、石英、およびプラスチックからなる群から選択されるギャップ媒体との間に存在する層である、請求項８に記載の装置。
【請求項１３】
前記外部光源の波長が、前記発光デバイス構造の発光波長よりも短い、請求項１に記載の装置。
【請求項１４】
前記光電流は、前記時間変化する電圧波形の前に前記発光デバイス構造を順方向にバイアスする、請求項１に記載の装置。
【請求項１５】
前記光電流は、測定フェーズの後に前記発光デバイス構造のリーク電流を増加させて、リセットフェーズ時間間隔を短縮する、請求項１に記載の装置。
【請求項１６】
ブロッキングフィルタからなるスペクトルフィルタリングが、前記検出器デバイスと前記発光デバイス構造との間に挟み込まれ、不要な光をブロックし、前記発光デバイス構造から放出される光を通過させる、請求項１に記載の装置。
【請求項１７】
検出器は、光積分時間の開始および持続時間を有し、前記発光デバイス構造の発光効率は、外部光源の照射の変調に対応する特定の時間ウィンドウにて測定される、請求項１６に記載の装置。
【請求項１８】
時間変化する電圧波形が前記外部光源からの外部光照射と組み合わされて、発光デバイス構造の機能が決定される、請求項１６に記載の装置。
【請求項１９】
フィールドプレートデバイスは、前記フィールドプレートデバイスの周囲付近のシールを使用して前記支持基板に近接して置かれ、真空ポートを使用して前記導電層と前記第１のコンタクト層との間のギャップから空気が排出される、請求項１に記載の装置。
【請求項２０】
フィールドプレートデバイスは、前記フィールドプレートデバイスの周囲付近のシールを使用して前記支持基板に近接して置かれ、充填用の入力ポートおよび出力ポートを使用して液体が前記導電層と前記第１のコンタクト層との間のギャップの中に導入される、請求項１に記載の装置。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
患者の脈拍及び／又は脈拍関連情報を検出するデバイスであって、
患者の皮膚に配置された加速度計センサにより取得された加速度計信号を取得する加速度計信号入力と、
脈拍信号センサから前記患者の脈拍関連信号を取得する脈拍信号入力と、
患者情報源から患者情報を取得する患者情報入力と、
前記脈拍関連信号を参照信号として使用し、更に前記患者情報及び前記加速度計信号の取得のコンテキストを示すコンテキスト情報を使用して、加速度計ベースの脈拍触診のモデルを生成するモデルユニットと、
前記生成されたモデルを使用して前記加速度計信号から、及び／又は前記脈拍関連信号から、１つ又は複数の特徴を抽出する特徴抽出ユニットと、
前記抽出された1つ又は複数の特徴から前記患者の脈拍及び脈拍強度を検出する検出ユニットとを有する、デバイス。
【請求項２】
前記脈拍信号入力が、前記患者の脈拍関連信号としてＰＰＧ信号を取得する、請求項１に記載のデバイス。
【請求項３】
前記加速度計信号から前記加速度計信号の取得のコンテキストを示す前記コンテキスト情報を生成するコンテキスト情報生成ユニットを更に有する、請求項１に記載のデバイス。
【請求項４】
前記患者情報入力が、年齢、性別、体重、身長、外部から加えられる圧力、心拍数、脈圧、及び収縮期血圧の１つ又は複数を含む患者情報を取得する、請求項１に記載のデバイス。
【請求項５】
前記モデルユニットが、前記モデルの生成において動脈特性及び／又は所定の脈拍テンプレートを使用する、請求項１に記載のデバイス。
【請求項６】
前記検出ユニットが、前記脈拍が存在するかどうかを検出し、並びに／又は脈拍関連情報としてパルス到着時間及び／若しくはパルス通過時間を検出する、請求項１に記載のデバイス。
【請求項７】
前記特徴抽出ユニットが、前記得られた加速度計信号を前記生成されたモデルと比較することにより、前記加速度計信号から1つ又は複数の特徴を抽出する、請求項１に記載のデバイス。
【請求項８】
前記特徴抽出ユニットが、前記得られた加速度計信号及び前記得られた脈拍関連信号の間の２Ｄ表現の1つ又は複数の特徴を相互相関する、請求項１に記載のデバイス。
【請求項９】
前記特徴抽出ユニットが、前記得られた加速度計信号及び前記得られた脈拍関連信号の１つ又は複数の特徴の間の角度又は面積を相互相関する、請求項１に記載のデバイス。
【請求項１０】
前記特徴抽出ユニットが、前記加速度計信号をハイパスフィルタリングし、前記ハイパスフィルタリングされた加速度計信号の１つ又は複数の特徴を前記脈拍関連信号と比較する、請求項７に記載のデバイス。
【請求項１１】
前記検出ユニットが、前記脈拍及び／又は脈拍関連情報の検出において、前記加速度計信号及び前記脈拍関連信号で検出された脈拍間隔及び／又は脈拍振幅を使用する、請求項１に記載のデバイス。
【請求項１２】
患者の脈拍及び／又は脈拍関連情報を検出するシステムであって、
患者の皮膚に配置され、加速度計信号を取得する加速度計信号センサと、
前記患者の皮膚に配置され、前記患者の脈拍関連信号を取得する脈拍信号センサと、
患者情報を提供する患者情報源と、
前記加速度計信号、前記脈拍関連信号及び前記患者情報に基づき、前記患者の脈拍及び脈拍強度を検出する請求項１に記載のデバイスとを有する、システム。
【請求項１３】
前記脈拍信号センサが、ＰＰＧセンサ、ＥＣＧセンサ、動脈血流センサ、超音波センサ及びレーダーセンサーの1つ又は複数を含む、請求項１２に記載のシステム。
【請求項１４】
患者の脈拍及び／又は脈拍関連情報の検出方法において、
患者の皮膚に配置された加速度計センサにより取得された加速度計信号を取得するステップと、
脈拍信号センサから前記患者の脈拍関連信号を取得するステップと、
患者情報源から患者情報を取得するステップと、
前記脈拍関連信号を参照信号として使用し、更に前記患者情報及び前記加速度計信号の取得のコンテキストを示すコンテキスト情報を使用して、加速度計ベースの脈拍触診のモデルを生成するステップと、
前記生成されたモデルを使用して前記加速度計信号から、及び／又は前記脈拍関連信号から１つ又は複数の特徴を抽出するステップと、
前記抽出された1つ又は複数の特徴から前記患者の脈拍及び脈拍強度を検出するステップとを有する、方法。
【請求項１５】
コンピュータ上で実行されるときに、請求項１４に記載の方法のステップを前記コンピュータに実行させるプログラムコード手段を含むコンピュータプログラム。
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
医用画像を画像解析する方法であって、
医用画像、前記医用画像の第１の注釈、及び前記医用画像内の第１の関心領域（ＲＯＩ）を示す第１のＲＯＩ情報を受信するステップと、
前記医用画像の第２の注釈、前記医用画像内の第２のＲＯＩを示す第２のＲＯＩ情報、並びにディスプレイデータ及び／又はビューイング時間を示すビューイングデータを受信するステップであって、前記第２のＲＯＩは前記ビューイングデータを用いてディスプレイに表示されたものであり、前記第２の注釈は前記ビューイングデータに基づいて作成されたものである、ステップと、
前記第２のＲＯＩ情報を前記第１のＲＯＩ情報と比較すること及び前記ビューイングデータをチェックすることにより、前記第２の注釈の品質をチェックするステップと、
を有する方法。
【請求項２】
前記ビューイングデータをチェックする前記ステップは、前記ビューイングデータがビューイングデータ要件を満たすかどうかをチェックすることを含む、請求項１に記載の方法。
【請求項３】
前記ビューイングデータが更に、ズームレベル及び／又はパンレベルを有し、及び／又は、
前記ディスプレイデータが、特に前記ディスプレイ及び／又は前記第２のＲＯＩ内における、解像度及び／又はディスプレイサイズ及び／又はピクセル数を含む、請求項１又は２に記載の方法。
【請求項４】
ビューイングデータ要件が、ビューイング時間閾値、及び／又はズームレベル閾値、及び／又はパンレベル閾値、及び／又は解像度閾値、及び／又はピクセル数閾値、及び／又はディスプレイサイズ閾値を含む、請求項２又は３に記載の方法。
【請求項５】
前記第１及び第２のＲＯＩ情報は、当該ＲＯＩの表示位置及び／又はサイズを示す位置情報及び／又はサイズ情報を含む、請求項１乃至４のいずれか１項に記載の方法。
【請求項６】
前記第１の注釈は、１又は複数のユーザによって提供され、及び／又は自動化された画像解析によって生成される、請求項１乃至５のいずれか１項に記載の方法。
【請求項７】
前記品質チェックの結果を供給するステップ、及び／又は
前記品質チェックに従って前記画像を適応させるステップ、
を更に有する、請求項１乃至６のいずれか１項に記載の方法。
【請求項８】
前記医用画像の他の注釈、前記医用画像内の１又は複数の他のＲＯＩを示す他のＲＯＩ情報、並びにディスプレイデータ及び／又はビューイング時間を含む他のビューイングデータを受信するステップであって、前記他のＲＯＩは、前記他のビューイングデータを用いてディスプレイに表示されたものであり、前記他の注釈は、前記他のビューイングデータに基づいて作成されたものである、ステップと、
前記他のＲＯＩ情報を前記第１及び／又は第２のＲＯＩ情報と比較すること及び前記他のビューイングデータをチェックすることにより、前記他の注釈の品質をチェックするステップと、
を有する、請求項１乃至７のいずれか１項に記載の方法。
【請求項９】
前記第１の注釈及び前記第１のＲＯＩ情報は、高解像度ディスプレイ上で前記医用画像をビューしたことに基づくものであり、前記第２のＲＯＩは、低解像度ディスプレイに表示されたものである、請求項１乃至８のいずれか１項に記載の方法。
【請求項１０】
医用画像を画像解析するシステムであって、
医用画像、前記医用画像の第１の注釈、及び前記医用画像内第１の関心領域（ＲＯＩ）を示す第１のＲＯＩを示す情報を受信するように構成される第１の入力ユニットと、
前記医用画像の第２の注釈、前記医用画像内の第２のＲＯＩを示す第２のＲＯＩ情報、並びにディスプレイデータ及び／又はビューイング時間を含むビューイングデータを受信するように構成される第２の入力ユニットであって、前記第２のＲＯＩは、前記ビューイングデータを用いてディスプレイに表示されたものであり、前記第２の注釈は、前記ビューイングデータに基づいて作成されたものである、入力ユニットと、
前記第１のＲＯＩ情報を前記第２のＲＯＩ情報と比較すること及び前記ビューイングデータをチェックすることにより、前記第２の注釈の品質をチェックするように構成される品質チェックユニットと、
を有するシステム。
【請求項１１】
前記品質チェックの結果を供給するように構成される出力ユニット、及び／又は
前記品質チェックに従って前記画像を適応させるように構成される適応ユニット、
を更に有する、請求項１０に記載のシステム。
【請求項１２】
前記第２の入力ユニットは更に、前記医用画像の他の注釈、前記医用画像内の１又は複数の他のＲＯＩを示す他のＲＯＩ情報、並びにディスプレイデータ及び／又はビューイング時間を含む他のビューイングデータを受信し、前記他のＲＯＩ情報を前記第１及び／又は第２のＲＯＩ情報と比較すること及び前記他のビューイングデータをチェックすることにより、前記他の注釈の品質をチェックするように構成され、前記他のＲＯＩは、前記他のビューイングデータを用いて前記ディスプレイに表示されたものであり、前記他の注釈は、前記他のビューイングデータに基づいて作成されたものである、請求項１０又は１１に記載のシステム。
【請求項１３】
請求項１乃至９のいずれか１項に記載の方法のステップをコンピュータに実行させるプログラムコード手段を有するコンピュータプログラム。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
ＦＩＸａ結合部位を含む抗体Ｆｖ領域を含むＦＩＸａ結合性ポリペプチドであって、
前記ＦＩＸａ結合性ポリペプチドが、配列番号３２４と少なくとも９５％のアミノ酸配列同一性を有するＶＨドメインと、配列番号１０と少なくとも９５％のアミノ酸配列同一性を有するＶＬドメインとを含み、前記ＶＨドメインが、ＩＭＧＴ位置１１１．１に疎水性残基を有するＨＣＤＲ３を含む
ことを特徴とするＦＩＸａ結合性ポリペプチド。
【請求項２】
前記ＶＬドメインが、相補性決定領域（ＣＤＲ）ＬＣＤＲ１、ＬＣＤＲ２、およびＬＣＤＲ３のセットを含み、
ＬＣＤＲ１が、配列番号６であり、
ＬＣＤＲ２が、配列番号７であり、
ＬＣＤＲ３が、配列番号８である、
請求項１に記載のポリペプチド。
【請求項３】
ＦＩＸａ結合部位を含むＦＩＸａ結合性ポリペプチドであって、
免疫グロブリン重鎖ｖ、ｄおよびｊ遺伝子セグメントの組換えにより生成されたＶＨドメインであって、前記ｖ遺伝子セグメントが、ＶＨ３−７（例えば、ＶＨ３−７＊０１）であり、および／または前記ｊ遺伝子セグメントが、ＪＨ６（例えば、ＪＨ６＊０２）である、ＶＨドメインと、
免疫グロブリン軽鎖ｖおよびｊ遺伝子セグメントの組換えにより生成されたＶＬドメインであって、前記ｖ遺伝子セグメントが、ＶＬ３−２１（例えば、ＶＬ３−２１＊ｄ０１）であり、前記ｊ遺伝子セグメントが、ＪＬ２（例えば、ＪＬ２＊０１）である、ＶＬドメインと
を含む抗体Ｆｖ領域を含むＦＩＸａ結合性ポリペプチド。
【請求項４】
単一特異性形態で提供される請求項１〜３のいずれか１項に記載のポリペプチド。
【請求項５】
Ｎ末端からＣ末端へ、ＶＨドメイン、ＣＨ１ドメイン、ＣＨ２ドメイン、およびＣＨ３ドメインを含む抗体重鎖と、
Ｎ末端からＣ末端へ、ＶＬドメインおよびＣＬドメインを含む抗体軽鎖とを含む、
請求項１〜４のいずれか１項に記載のポリペプチド。
【請求項６】
前記抗体重鎖が、ＩｇＧ定常領域を含む、請求項５に記載のポリペプチド。
【請求項７】
請求項１〜６のいずれか１項に記載のＦＩＸａ結合性Ｆｖ領域を含む第１の重鎖−軽鎖対と、
ＦＸ結合性Ｆｖ領域を含む第２の重鎖−軽鎖対と
を含む、四量体免疫グロブリンである二重特異性抗原結合性分子であって、
各重鎖が、ＶＨドメインおよび定常領域を含み、各軽鎖が、ＶＬドメインおよび定常領域を含み、前記第１および第２の重鎖−軽鎖対は会合して、それらの重鎖定常領域のヘテロ二量体化により四量体免疫グロブリンを形成しており、
前記二重特異性抗原結合性分子が、共通の軽鎖を含み、そのため、前記第１および第２の重鎖−軽鎖対の軽鎖は、同一のアミノ酸配列を有する
二重特異性抗原結合性分子。
【請求項８】
前記免疫グロブリンが、ＩｇＧ４である、請求項７に記載の二重特異性抗原結合性分子。
【請求項９】
ａＰＴＴアッセイにおいて、ＦＶＩＩＩ欠乏ヒト血漿の凝固時間を４０秒未満に短縮する、請求項７または８に記載の二重特異性抗原結合性分子。
【請求項１０】
請求項１〜６のいずれか１項に記載のＦＩＸａ結合性ポリペプチドをコードする、単離された核酸。
【請求項１１】
請求項７〜９のいずれか１項に記載の二重特異性抗原結合性分子をコードする単離された核酸。
【請求項１２】
ＦＩＸａ結合部位を含むＦＩＸａ結合性ポリペプチドであって、請求項１〜６のいずれか１項で定義されたＦＩＸａ結合性ポリペプチドであるＦＩＸａ結合性ポリペプチド、または前記ポリペプチドをコードする核酸と、
ＦＸ結合部位を含むＦＸ結合性ポリペプチド、または前記ポリペプチドをコードする核酸とを含む、
請求項７〜９のいずれか１項に記載の二重特異性抗原結合性分子の製造のためのキット。
【請求項１３】
請求項７〜９のいずれか１項に記載の二重特異性抗原結合性分子をコードする、または請求項１〜６のいずれか１項に記載のＦＩＸａ結合性ポリペプチドをコードする、組換え核酸を含む宿主細胞であって、前記コード核酸が、発現のためのプロモーターに作動可能に連結されている、宿主細胞。
【請求項１４】
請求項７〜９のいずれか１項に記載の抗原結合性分子を製造する、または、請求項１〜６のいずれか１項に記載のＦＩＸａ結合性ポリペプチドを製造する方法であって、前記抗原結合性分子または前記ポリペプチドの発現のための条件下で請求項１３に記載の宿主細胞を培養することと、前記宿主細胞培養物から前記抗原結合性分子または前記ポリペプチドを回収することとを含む方法。
【手続補正書】
【提出日】令和3年6月2日(2021.6.2)
【手続補正１】
【補正対象書類名】特許請求の範囲
【補正対象項目名】全文
【補正方法】変更
【補正の内容】
【特許請求の範囲】
【請求項１】
ヒト患者においてアルツハイマー病を決定するための方法であって:
前記ヒト患者からのサンプルを用意する工程、及び
前記サンプル中の、配列番号22、25、及び77の群から選択される少なくとも1種のmiRNAの存在を決定する工程
を含む方法。
【請求項２】
前記サンプル中の、残りの配列番号22、25、又は77並びに配列番号2〜21、23、24、26〜76、及び78〜86からなる群から選択される少なくとも1種のさらなるmiRNAの存在を決定する工程をさらに含む、請求項1に記載の方法。
【請求項３】
前記サンプル中の、残りの配列番号22、25、又は77並びに配列番号2、3、5、6、7、8、9、10、11、12、13、14、15、16、24、27、28、31、30、32、33、37、38、40、42、43、44、46、47、48、49、50、51、55、56、57、58、59、60、62、63、64、67、68、71、72、74、75、78、80、81、85、及び86からなる群から選択される少なくとも1種のさらなるmiRNAの存在を決定する工程をさらに含む、請求項1に記載の方法。
【請求項４】
前記サンプル中の、残りの配列番号22、25、又は77並びに配列番号配列番号4、17、18、19、20、21、23、26、29、34、35、36、39、45、52、53、54、61、65、66、69、70、73、76、79、82、83、及び84からなる群から選択される少なくとも1種のさらなるmiRNAの存在を決定する工程をさらに含む、請求項1に記載の方法。
【請求項５】
前記サンプル中の、残りの配列番号22、25、又は77並びに配列番号15、21、24、52、54、及び55からなる群から選択される少なくとも1種のさらなるmiRNAの存在を決定する工程をさらに含む、請求項1に記載の方法。
【請求項６】
前記サンプル中の、残りの配列番号22、25、又は77並びに配列番号2〜21、23、24、26〜76、及び78〜86からなる群から選択される少なくとも2種のさらなるmiRNAの存在を決定する工程をさらに含む、請求項1に記載の方法。
【請求項７】
前記サンプル中の、残りの配列番号22、25、又は77並びに配列番号2、3、5、6、7、8、9、10、11、12、13、14、15、16、24、27、28、31、30、32、33、37、38、40、42、43、44、46、47、48、49、50、51、55、56、57、58、59、60、62、63、64、67、68、71、72、74、75、78、80、81、85、及び86からなる群から選択される少なくとも2種のさらなるmiRNAの存在を決定する工程をさらに含む、請求項1に記載の方法。
【請求項８】
前記サンプル中の、残りの配列番号22、25、又は77並びに配列番号4、17、18、19、20、21、23、26、29、34、35、36、39、45、52、53、54、61、65、66、69、70、73、76、79、82、83、及び84からなる群から選択される少なくとも2種のさらなるmiRNAの存在を決定する工程をさらに含む、請求項1に記載の方法。
【請求項９】
前記サンプル中の、残りの配列番号22、25、又は77並びに配列番号15、21、24、52、54、及び55からなる群から選択される少なくとも2種のさらなるmiRNAの存在を決定する工程をさらに含む、請求項1に記載の方法。
【請求項１０】
前記サンプルが、血清、血漿、又は全血である、請求項1から9のいずれか一項に記載の方法。
【請求項１１】
前記miRNAの存在が、qRT-PCRを使用して決定される、請求項1から9のいずれか一項に記載の方法。
【請求項１２】
前記miRNAの存在が、標識されたアンチセンスヌクレオチド配列を使用して決定される、請求項1から9のいずれか一項に記載の方法。
【請求項１３】
前記miRNAの存在が、標識された抗体を使用して決定される、請求項1から9のいずれか一項に記載の方法。
【請求項１４】
標識された抗体が、モノクローナルである、請求項1から9のいずれか一項に記載の方法。
【請求項１５】
前記miRNAの存在が、マイクロアレイプロファイリングを使用して決定される、請求項1から9のいずれか一項に記載の方法。
【請求項１６】
前記miRNAの存在が、ハイスループットNGSシーケンシングを使用して決定される、請求項1から9のいずれか一項に記載の方法。
【請求項１７】
サンプルが、ヒトの体外で、前記miRNAを決定するために用意され、前記決定の結果は、患者に伝えられる、請求項1から9のいずれか一項に記載の方法。
【請求項１８】
前記サンプル中の、配列番号22、25、及び77からなる群から選択される少なくとも2種のmiRNAの存在を決定する工程を含む、請求項1に記載の方法。
【請求項１９】
前記少なくとも2種のmiRNAが、配列番号22及び25を含む、又は、
前記少なくとも2種のmiRNAが、配列番号22及び77を含む、又は、
前記少なくとも2種のmiRNAが、配列番号25及び77を含む、
請求項18に記載の方法。
【請求項２０】
前記サンプル中の、配列番号22、25、及び77のそれぞれの存在を決定する工程を含む、請求項1に記載の方法。
【請求項２１】
配列番号15及び22の存在を決定する工程を含む、又は、
配列番号21及び22の存在を決定する工程を含む、又は、
配列番号22及び24の存在を決定する工程を含む、又は、
配列番号22及び52の存在を決定する工程を含む、又は、
配列番号22及び54の存在を決定する工程を含む、又は、
配列番号22及び55の存在を決定する工程を含む、又は、
配列番号15及び25の存在を決定する工程を含む、又は、
配列番号21及び25の存在を決定する工程を含む、又は、
配列番号24及び25の存在を決定する工程を含む、又は、
配列番号25及び52の存在を決定する工程を含む、又は、
配列番号25及び54の存在を決定する工程を含む、又は、
配列番号25及び55の存在を決定する工程を含む、又は、
配列番号15及び77の存在を決定する工程を含む、又は、
配列番号21及び77の存在を決定する工程を含む、又は、
配列番号24及び77の存在を決定する工程を含む、又は、
配列番号52及び77の存在を決定する工程を含む、又は、
配列番号54及び77の存在を決定する工程を含む、又は、
配列番号55及び77の存在を決定する工程を含む、
請求項2に記載の方法。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
ヒトＢ細胞成熟抗原（ＢＣＭＡ）に結合する重鎖のみ抗体であって、
（ｉ）配列番号１のＣＤＲ１配列、配列番号４のＣＤＲ２配列、及び配列番号８のＣＤＲ３配列；または
（ｉｉ）配列番号２のＣＤＲ１配列、配列番号５のＣＤＲ２配列、及び配列番号９のＣＤＲ３配列；または
（ｉｉｉ）配列番号２のＣＤＲ１配列、配列番号６のＣＤＲ２配列、及び配列番号１０のＣＤＲ３配列；または
（ｉｖ）配列番号３のＣＤＲ１配列、配列番号７のＣＤＲ２配列、及び配列番号１１のＣＤＲ３配列
を含む重鎖可変領域を含む、重鎖のみ抗体。
【請求項２】
前記ＣＤＲ１、ＣＤＲ２及びＣＤＲ３配列がヒトフレームワーク中に存在する、請求項１に記載の重鎖のみ抗体。
【請求項３】
ＣＨ１配列の非存在下で重鎖定常領域配列をさらに含む、請求項１に記載の重鎖のみ抗体。
【請求項４】
配列番号１２と少なくとも９５％の配列同一性を有する重鎖可変領域配列を含む、請求項１に記載の重鎖のみ抗体。
【請求項５】
配列番号１２を含む重鎖可変領域配列を含む、請求項４に記載の重鎖のみ抗体。
【請求項６】
配列番号１３と少なくとも９５％の配列同一性を有する重鎖可変領域配列を含む、請求項１に記載の重鎖のみ抗体。
【請求項７】
配列番号１３を含む重鎖可変領域配列を含む、請求項６に記載の重鎖のみ抗体。
【請求項８】
配列番号１４と少なくとも９５％の配列同一性を有する重鎖可変領域配列を含む、請求項１に記載の重鎖のみ抗体。
【請求項９】
配列番号１４を含む重鎖可変領域配列を含む、請求項８に記載の重鎖のみ抗体。
【請求項１０】
配列番号１５と少なくとも９５％の配列同一性を有する重鎖可変領域配列を含む、請求項１に記載の重鎖のみ抗体。
【請求項１１】
配列番号１５を含む重鎖可変領域配列を含む、請求項１０に記載の重鎖のみ抗体。
【請求項１２】
多重特異性である、請求項１に記載の重鎖のみ抗体。
【請求項１３】
二重特異性である、請求項１２に記載の重鎖のみ抗体。
【請求項１４】
エフェクター細胞に対する結合親和性を有する、請求項１２に記載の重鎖のみ抗体。
【請求項１５】
Ｔ細胞抗原に対する結合親和性を有する、請求項１２に記載の重鎖のみ抗体。
【請求項１６】
ＣＤ３に対する結合親和性を有する、請求項１５に記載の重鎖のみ抗体。
【請求項１７】
ＣＡＲ−Ｔ形式である、請求項１に記載の重鎖のみ抗体。
【請求項１８】
ＣＡＲ形質導入Ｔ細胞中に存在する、請求項１７に記載の重鎖のみ抗体。
【請求項１９】
請求項１７の重鎖のみ抗体を形質導入された、Ｔ細胞。
【請求項２０】
請求項１の重鎖のみ抗体を含む、薬学的組成物。
【請求項２１】
ＢＣＭＡの発現を特徴とするＢ細胞障害を有する患者において前記Ｂ細胞障害を処置するための、請求項１に記載の抗体を含む組成物。
【請求項２２】
前記Ｂ細胞障害が、多発性骨髄腫（ＭＭ）である、請求項２１に記載の組成物。
【請求項２３】
前記Ｂ細胞障害が、全身性エリテマトーデス（ＳＬＥ）である、請求項２１に記載の組成物。
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
吸入可能な霧、蒸気、またはスプレーの生成のために構成および適合された医学的に活性な液体用のエアロゾル発生器であって、
ａ）ハウジングと、
ｂ）医学的に活性な液体を保持するための前記ハウジング内のリザーバと、
ｃ）ポンプユニットと、
ｄ）ノズル（１）と、
を備え、
前記ノズル（１）は、主軸線（Ｚ）と、各々の噴出軌道に沿って液体（Ｆ、Ｆ１、Ｆ２）を噴出するように適合された少なくとも３つの噴出チャネル（１Ａ、１Ｂ、１Ｃ、１Ｄ）とを有し、前記噴出軌道のうちの少なくとも２つが互いに交差する少なくとも２つの衝突点（Ｘ１、Ｘ２）が設けられ、さらに、
個々の前記軌道が前記ノズル（１）を出るすべての噴出角（Ａ、Ａ１、Ａ２）が同一であるか、または
前記噴出角（Ａ、Ａ１、Ａ２）の少なくとも１つが他の前記噴出角（Ａ、Ａ１、Ａ２）とは異なる、
ことを特徴とする、エアロゾル発生器。
【請求項２】
少なくとも２つ、またはすべての衝突点（Ｘ、Ｘ１、Ｘ２）が、
前記主軸線（Ｚ）に垂直な同一の平面（Ｐ）内に
配置される、
請求項１に記載のエアロゾル発生器。
【請求項３】
少なくとも２つ、またはすべての衝突点（Ｘ、Ｘ１、Ｘ２）が、
異なる平面（Ｐ１、Ｐ２）上に
配置される、
請求項１に記載のエアロゾル発生器。
【請求項４】
前記ノズル（１）の前記主軸線（Ｚ）に関して、
すべての衝突点（Ｘ、Ｘ１、Ｘ２）が前記主軸線（Ｚ）上に位置する、
請求項１〜３のいずれか一項に記載のエアロゾル発生器。
【請求項５】
少なくとも１つの衝突点（Ｘ、Ｘ１、Ｘ２）が前記主軸線（Ｚ）からオフセットされる、
請求項１〜３のいずれか一項に記載のエアロゾル発生器。
【請求項６】
前記ノズル（１）のすべての前記噴出チャネル（１Ａ、１Ｂ、１Ｃ、１Ｄ）の断面が同一である、
請求項１〜５のいずれか一項に記載のエアロゾル発生器。
【請求項７】
前記ノズル（１）の少なくとも１つの前記噴出チャネル（１Ａ、１Ｂ、１Ｃ、１Ｄ）が、別の噴出チャネル（１Ａ、１Ｂ、１Ｃ、１Ｄ）の断面とは異なる断面を有する、
請求項１〜５のいずれか一項に記載のエアロゾル発生器。
【請求項８】
前記ノズル（１）のすべての前記噴出チャネル（１Ａ、１Ｂ、１Ｃ、１Ｄ）が同じ液体リザーバに接続されることにより、すべての衝突点（Ｘ、Ｘ１、Ｘ２）に同じ前記液体（Ｆ）が供給され得る、
請求項１〜７のいずれか一項に記載のエアロゾル発生器。
【請求項９】
前記ノズル（１）の少なくとも２つの前記噴出チャネル（１Ａ、１Ｂ、１Ｃ、１Ｄ）が個別の液体リザーバに接続されることにより、異なる液体（Ｆ１、Ｆ２）が供給され得る少なくとも１つの衝突点（Ｘ、Ｘ１、Ｘ２）が提供される、
請求項１〜７のいずれか一項に記載のエアロゾル発生器。
【請求項１０】
前記ノズル（１）の少なくとも２つの前記噴出チャネル（１Ａ、１Ｂ、１Ｃ、１Ｄ）が、上流に配置された共通の混合室に接続される、
請求項１〜９のいずれか一項に記載のエアロゾル発生器。
【請求項１１】
前記ノズル（１）の少なくとも２つの噴出チャネル（１Ａ、１Ｂ、１Ｃ、１Ｄ）が共通の入口を共有し、噴出チャネル（１Ａ、１Ｂ、１Ｃ、１Ｄ）の対またはグループを形成するような交差する軌道を有する、
請求項１〜１０のいずれか一項に記載のエアロゾル発生器。
【請求項１２】
前記ノズル（１）のすべての噴出チャネル（１Ａ、１Ｂ、１Ｃ、１Ｄ）が個別の入口を有する、
請求項１〜１０のいずれか一項に記載のエアロゾル発生器。
【請求項１３】
２つの噴出チャネル（１Ａ、１Ｂ、１Ｃ、１Ｄ）が対を形成し、前記ノズルは、第１の噴出チャネル（１Ａ、１Ｂ、１Ｃ、１Ｄ）の上流端に接続するように配置された主供給チャネル（３、３Ａ、３Ｂ）と、前記主供給チャネル（３、３Ａ、３Ｂ）を第２の噴出チャネル（１Ａ、１Ｂ、１Ｃ、１Ｄ）の上流端に接続する交差チャネル（４、４Ａ、４Ｂ）と、をさらに含む、
請求項１〜１２のいずれか一項に記載のエアロゾル発生器。
【請求項１４】
前記ノズル（１）が二次元プレートの積み重ねとして構築される、
請求項１〜１３のいずれか一項に記載のエアロゾル発生器。
【請求項１５】
前記噴出角（Ａ、Ａ１、Ａ２）の少なくとも１つが他の前記噴出角（Ａ、Ａ１、Ａ２）と異なる、
請求項１〜１４のいずれか一項に記載のエアロゾル発生器。
【請求項１６】
手持ち式装置である、請求項１〜１５のいずれか一項に記載のエアロゾル発生器。
【請求項１７】
経口用途のためのアプリケーターピースをさらに含む、請求項１〜１６のいずれか一項に記載のエアロゾル発生器。
【請求項１８】
前記アプリケーターピースがマウスピースである、請求項１７に記載のエアロゾル発生器。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
相互連結したポリマーストランドのネットワークであって、前記相互連結したポリマーストランドのそれぞれが、組織部位に接触するように適合された第１の表面を有し、前記相互連結したポリマーストランドのうちの少なくとも１つが、前記相互連結したポリマーストランドの前記第１の表面から延在する複数の特徴を有し、任意の２つの隣接するポリマーストランドのうちの１つのみが、前記相互連結したポリマーストランドの前記第１の表面から延在する複数の特徴を有し、前記相互連結したポリマーストランドのうちの少なくとも１つが非線形である、ネットワークと、
隣接する相互連結したポリマーストランド間にある複数の開口部と、
を備える、物品。
【請求項２】
前記相互連結したポリマーストランドのうちの少なくとも１つは、直線状である、請求項１に記載の物品。
【請求項３】
請求項１に記載の物品と、
前記物品の前記開口部に流体接続されており、前記開口部を通して、前記特徴間へ、そして前記組織部位まで減圧を送り出す減圧源と、
を備える、システム。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
第１複合壁であり、
第１基板、
前記第１基板上の、７０〜２５０ｎｍの厚さを有する第１透明導体層、
前記第１透明導体層上の、３００〜１０００ｎｍの厚さを有し、４００〜１０００ｎｍの波長範囲の電磁照射によって活性化される光活性層、及び
前記光活性層上の、１２０〜１６０ｎｍの厚さを有する第１誘電体層
を含む第１複合壁と、
第２複合壁であり、
第２基板、
前記第２基板上の、７０〜２５０ｎｍの厚さを有する第２導体層、及び
前記第２導体層上の、１２０〜１６０ｎｍの厚さを有する第２誘電体層
を含む第２複合壁と、
前記第１複合壁及び第２複合壁にわたって、前記第１透明導体層及び第２導体層を接続する電圧を供給する交流電源と、
前記光活性層に衝突させて、前記第１誘電体層の表面上の対応する一過性エレクトロウェッティング箇所を誘起するように適合される光励起層のバンドギャップより高いエネルギを有する少なくとも１つの電磁放射源と、
前記一過性エレクトロウェッティング箇所の配置を変えることにより、少なくとも１つのエレクトロウェッティング経路を生成し、前記エレクトロウェッティング経路に沿って微小液滴を移動させることができるように、前記光活性層上での前記電磁照射の衝突点を操作するマイクロプロセッサと、
を含み、
前記第１誘電体層及び第２誘電体層の露出面は、前記第１複合壁及び前記第２複合壁を所定の量だけ離して保持して、微小液滴を含むように適合されるマイクロ流体空間を画定する、１つ以上のスペーサを含み、
光学的に媒介されるエレクトロウェッティングを用いて微小液滴を操作する装置。
【請求項２】
前記第１複合壁及び第２複合壁がそれぞれ、前記第１誘電体層及び前記第２誘電体層上に、第１防汚層及び第２防汚層を更に備える、請求項１に記載の装置。
【請求項３】
前記第２誘電体層上の防汚層が疎水性である、請求項２に記載の装置。
【請求項４】
前記マイクロ流体空間は、前記第１誘電体層及び第２誘電体層に取り付けられるスペーサによって更に画定される、請求項１に記載の装置。
【請求項５】
前記エレクトロウェッティング経路は、前記装置使用中のある時点において、それぞれ一過性エレクトロウェッティングが行われる、仮想的エレクトロウェッティング箇所の連続体からなる、請求項１に記載の装置。
【請求項６】
前記マイクロ流体空間は、２μｍ〜８μｍである、請求項１に記載の装置。
【請求項７】
前記電磁放射源は、ピクセル化されるアレイ、又はこのようなアレイから反射され若しくはこのようなアレイを透過する光を含む、請求項１に記載の装置。
【請求項８】
前記エレクトロウェッティング箇所は、前記微小液滴の移動方向に三日月形状である、請求項１に記載の装置。
【請求項９】
前記装置内又は前記装置の下流に配置される前記微小液滴の蛍光を刺激し検出する光検出器を更に備える、請求項１に記載の装置。
【請求項１０】
不混和性キャリア流体の水性微小液滴のエマルションからなる媒体を生成する上流入口を更に備える、請求項１に記載の装置。
【請求項１１】
前記マイクロ流体空間への入口を経て前記マイクロ流体空間を通る、不混和性キャリア流体の水性微小液滴のエマルションからなる媒体の流れを誘起する上流入口を更に備える、請求項１に記載の装置。
【請求項１２】
前記第１複合壁及び第２複合壁は、第１複合シート及び第２複合シートであり、前記第１複合シート及び第２複合シートは、前記第１複合シート及び第２複合シートの間に前記マイクロ流体空間を画定し、カートリッジ又はチップの外周部を形成する、請求項１に記載の装置。
【請求項１３】
互いに付随して走る複数の第１エレクトロウェッティング経路を更に備える、請求項１２に記載の装置。
【請求項１４】
前記第１エレクトロウェッティング経路と交差して、少なくとも１つの微小液滴合流箇所を作るように適合される、複数の第２エレクトロウェッティング経路を更に備える、請求項１３に記載の装置。
【請求項１５】
前記マイクロ流体空間に微小液滴を導入する上流入口を更に備え、
前記上流入口の直径は、前記マイクロ流体空間の幅よりも２０％超大きい、請求項１に記載の装置。
【請求項１６】
前記第２複合壁が、第２光励起性層を更に含み、
前記電磁放射源は、前記第２光励起性層にも衝突して、同様に変わり得る一過性エレクトロウェッティング箇所の第２パターンを作る、請求項１に記載の装置。
【請求項１７】
スペーサを使用して、第１層の構造と第２層の構造との間の間隔を制御し、
前記スペーサの物理的形状を用いて、前記装置の前記微小液滴の分離、統合及び伸長を助ける、請求項１に記載の装置。
【請求項１８】
（ａ）不混和性キャリア媒体の微小液滴のエマルションを、２つの対向する壁により画定されるマイクロ流体空間に導入するステップと、
（ｂ）複数位置の電磁放射源を、光活性層に適用して、第１誘電体層において、複数の対応する一過性エレクトロウェッティング箇所を誘起するステップと、
（ｃ）前記光活性層の前記電磁放射源の適用位置を変えることで、前記エマルションの前記微小液滴の少なくとも１つを、前記一過性エレクトロウェッティング箇所によって生み出されるエレクトロウェッティング経路に沿って移動するステップと、
を含む、水性微小液滴の操作方法であり、
前記２つの対向する壁はそれぞれ、
第１複合壁であり、
第１透明基板、
前記第１透明基板上の、７０〜２５０ｎｍの厚さを有する第１透明導体層、
前記第１透明導体層上の、３００〜１０００ｎｍの厚さを有し、４００〜１０００ｎｍの波長範囲の電磁照射によって活性化される前記光活性層、及び
前記第１透明導体層上の、１２０〜１６０ｎｍの厚さを有する前記第１誘電体層
からなる第１複合壁と、
第２複合壁であり、
第２基板、
前記第２基板上の、７０〜２５０ｎｍの厚さを有する第２導体層、及び
前記第２導体層上の、１２０〜１６０ｎｍの厚さを有する第２誘電体層
からなる第２複合壁と、を備え、
前記第１誘電体層及び第２誘電体層の露出面は、前記第１複合壁及び前記第２複合壁を所定の量だけ離して保持して、微小液滴を含むように適合されるマイクロ流体空間を画定する、１つ以上のスペーサを含み、
る、前記水性微小液滴の操作方法。